(57)【特許請求の範囲】
【請求項１】
一のプラントの管理を行う第１及び第２フィールドサーバー装置からの当該プラントのフィールド情報を冗長化処理を実行しながら受益者装置へ提供する上り系処理を実行する情報処理装置を有するクラウドシステムであって、
前記情報処理装置は、
前記第１又は第２フィールドサーバー装置から前記プラントで発生したフィールド情報を、第１の電子メールを介して受信して蓄積する蓄積手段と、
前記蓄積手段に蓄積された第１の電子メールに含まれるフィールド情報を所定の順序で処理して加工情報を生成する処理手段と、
前記処理手段で生成した加工情報を所定の形式で記憶する記憶手段と、
前記記憶手段に記憶された加工情報に基づいて前記フィールド情報を前記受益者装置へ提供する提供手段とを有して前記上り系処理を実行するものであり、
前記情報処理装置は、
通常運転時において前記受益者装置から送られてくる同一内容の操作指令を処理して前記プラントを制御する下り系処理を更に実行するものであり、
前記下り系処理における前記蓄積手段が、前記受益者装置からの前記第１及び第２フィールドサーバー装置に対する指令を、同一内容の複数の第２の電子メールを介して受信して蓄積するとともに、同一内容の複数の第２の電子メールをそれぞれ前記第１及び第２フィールドサーバー装置へ配信し、
前記下り系処理における前記処理手段が、前記蓄積手段に蓄積された同一内容の複数の第２の電子メールを処理して前記第１及び第２フィールドサーバー装置のいずれかに対する指令を抽出し、前記抽出された指令を対応する前記第１及び第２フィールドサーバー装置のいずれかが行うこととなるよう処理を実行し、
前記下り系処理における前記第１及び第２フィールドサーバー装置が、前記受益者装置から送られてくる同一内容の指令の照合をそれぞれ行って前記第１及び第２フィールドサーバー装置による照合結果が許可された場合に、前記第１及び第２フィールドサーバー装置のいずれかによって前記指令を行うものであり、
前記下り系処理における前記情報処理装置は、前記第１又は第２フィールドサーバー装置の可動状態に応じて、指令を行って前記プラントの制御を行うべき前記第１又は第２フィールドサーバー装置を選択的に切り替えることを特徴とするクラウドシステム。
【請求項２】
前記処理手段は、前記蓄積手段に蓄積された第１の電子メールに含まれるフィールド情報を処理して検索用の検索インデックスを前記加工情報として生成し、
前記提供手段は、前記生成した検索インデックスの中から前記受益者装置から受け付けた検索情報に対応する検索インデックスを決定し、前記決定した検索インデックスに対応するフィールド情報を、前記検索情報を受け付けた受益者装置へ提供するよう処理を実行することを特徴とする請求項１に記載のクラウドシステム。
【請求項３】
前記第１及び第２フィールドサーバー装置は、そのフィールドサーバー装置が管理するプラントのフィールド情報をリアルタイムに取得しており、
前記提供手段は、前記加工情報に含まれるフィールド情報に基づいて前記リアルタイムにフィールド情報を取得している前記第１及び第２フィールドサーバー装置の中から対応するフィールドサーバー装置を決定することを特徴とする請求項２に記載のクラウドシステム。
【請求項４】
前記情報処理装置は、前記プラントに設けられた機器および／または部品の完成図書データを管理する完成図書サーバー装置をさらに有し、
前記完成図書サーバー装置は、前記加工情報と前記完成図書データを比較し、前記完成図書データを変更する場合に前記受益者装置に確認する処理を実行することを特徴とする請求項１から請求項３のいずれか一項に記載のクラウドシステム。
【請求項５】
前記第１及び第２フィールドサーバー装置は、冗長化処理を実行し、
通常運転時、前記第１フィールドサーバー装置が稼働し、前記第２フィールドサーバー装置が待機し、前記稼働している第１フィールドサーバー装置が故障時、前記第２フィールドサーバー装置が稼働することを特徴とする請求項１から請求項４のいずれか一項に記載のクラウドシステム。
【請求項６】
前記受益者装置は、前記検索情報として検索項目キーと検索成立条件を入力する画面を表示し、
前記処理手段は、前記検索項目キーと前記検索成立条件との組み合わせに応じた検索結果を生成し、前記生成した検索結果を前記受益者装置へ提供する処理を実行することを特徴とする請求項２から請求項５のいずれか一項に記載のクラウドシステム。
【請求項７】
前記情報処理装置は、同一の内容の処理を実行可能なように複数備えられており、
前記第１及び第２フィールドサーバー装置は、依頼先の装置の可動状態に応じて依頼する前記情報処理装置を選択的に切り替えることを特徴とする請求項１から請求項６のいずれか一項に記載のクラウドシステム。
【請求項８】
前記フィールドサーバー装置は、入力されたフィールド情報を順番に蓄積する第１処理と、前記第１処理によって順番に蓄積したフィールド情報の特徴量を抽出し、前記抽出した特徴量に基づいて前記第１処理によって蓄積したフィールド情報を復元情報に置き換える第２処理とを実行することを特徴とする請求項１から請求項７のいずれか一項に記載のクラウドシステム。
【請求項９】
一のプラントの管理を行う第１及び第２フィールドサーバー装置からの当該プラントのフィールド情報を冗長化処理を実行しながら受益者装置へ提供する上り系処理を実行するクラウドシステムの制御方法であって、
情報処理装置が前記プラントを管理する前記第１又は第２フィールドサーバー装置から前記プラントで発生したフィールド情報を、第１の電子メールを介して受信して蓄積手段に蓄積する蓄積ステップと、
前記情報処理装置が前記蓄積ステップで蓄積された第１の電子メールに含まれるフィールド情報を所定の順序で処理手段をもって処理して加工情報を生成する処理ステップと、
前記情報処理装置が前記処理ステップで生成した加工情報に基づいて前記フィールド情報を前記受益者装置へ提供する提供ステップとを有して前記上り系処理を実行するものであり、
前記情報処理装置は、
通常運転時において前記受益者装置から送られてくる同一内容の操作指令を処理して前記プラントを制御する下り系処理を更に実行するものであり、
前記下り系処理における前記蓄積手段が、前記受益者装置からの前記第１及び第２フィールドサーバー装置に対する指令を、同一内容の複数の第２の電子メールを介して受信して蓄積するとともに、同一内容の複数の第２の電子メールをそれぞれ前記第１及び第２フィールドサーバー装置へ配信するステップと、
前記下り系処理における前記処理手段が、前記蓄積手段に蓄積された同一内容の複数の第２の電子メールを処理して前記第１及び第２フィールドサーバー装置のいずれかに対する指令を抽出し、前記抽出された指令を対応する前記第１及び第２フィールドサーバー装置のいずれかが行うこととなるよう処理を実行するステップと、
前記下り系処理における前記第１及び第２フィールドサーバー装置が、前記受益者装置から送られてくる同一内容の指令の照合をそれぞれ行って前記第１及び第２フィールドサーバー装置による照合結果が許可された場合に、前記第１及び第２フィールドサーバー装置のいずれかが前記指令を行うステップと、
前記下り系処理における前記情報処理装置は、前記第１又は第２フィールドサーバー装置の可動状態に応じて、指令を処理して前記プラントの制御を行うべき前記第１及び第２フィールドサーバー装置を選択的に切り替えるステップとを有する
ことを特徴とするクラウドシステムの制御方法。
【請求項１０】
前記処理ステップは、前記蓄積手段に蓄積された第１の電子メールに含まれるフィールド情報を処理して検索用の検索インデックスを前記加工情報として生成し、
前記提供ステップは、前記生成した検索インデックスの中から前記受益者装置から受け付けた検索情報に対応する検索インデックスを決定し、前記決定した検索インデックスに対応するフィールド情報を、前記検索情報を受け付けた受益者装置へ提供するよう処理を実行することを特徴とする請求項９に記載のクラウドシステムの制御方法。
【請求項１１】
前記第１及び第２フィールドサーバー装置が前記プラントのフィールド情報をリアルタイムに取得するステップをさらに有し、
前記提供ステップは、前記加工情報に含まれるフィールド情報に基づいて前記リアルタイムにフィールド情報を取得している前記第１及び第２フィールドサーバー装置の中から対応するフィールドサーバー装置を決定するステップをさらに有することを特徴とする請求項１０に記載のクラウドシステムの制御方法。
【請求項１２】
通常運転時、前記第１フィールドサーバー装置が稼働し、前記第２フィールドサーバー装置が待機し、前記稼働している第１フィールドサーバー装置が故障時、前記第２フィールドサーバー装置が稼働するステップをさらに有することを特徴とする請求項９から請求項１１のいずれか一項に記載のクラウドシステムの制御方法。
【請求項１３】
前記情報処理装置は、同一の内容の処理を実行可能なように複数備えられており、
依頼先の装置の可動状態に応じて依頼する前記情報処理装置を選択的に切り替えるステップをさらに有することを特徴とする請求項９から請求項１２のいずれか一項に記載のクラウドシステムの制御方法。
【請求項１４】
入力されたフィールド情報を順番に蓄積する第１処理ステップと、
前記第１処理ステップによって順番に蓄積したフィールド情報の特徴量を抽出し、前記抽出した特徴量に基づいて前記第１処理ステップによって蓄積したフィールド情報を復元情報に置き換える第２処理ステップと、をさらに有することを特徴とする請求項９から請求項１３のいずれか一項に記載のクラウドシステムの制御方法。
【発明の詳細な説明】
【技術分野】
【０００１】
本発明は、クラウドシステム及びクラウドシステムの制御方法に関する。
【背景技術】
【０００２】
現在、様々なプラントが稼働しており、このプラントは各種法令や自ら定めた保安に関する規定により設備の安全性、健全性維持が図られている。従来、このようなプラントの運転状況を管理する管理装置が提案されている（特許文献１および特許文献２）。
【０００３】
特許文献１および特許文献２の管理装置では、プラントを管理するためのコンピュータを設け、このコンピュータに各種プラントで発生した情報を入力し、入力されたプラント情報を基づいて各種の管理を行っている。
【先行技術文献】
【特許文献】
【０００４】
【特許文献１】特開２００７−１５６６５３号公報
【特許文献２】特開２００９−  ２０７８７号公報
【発明の概要】
【発明が解決しようとする課題】
【０００５】
ところで、現在、機場に設けられたプラントを遠隔地にある遠隔管理装置で管理する場合、機場単位に遠隔管理装置を単独で設置している。近年、市町村合併、広域事業体の運用の必要性から、機場単位の維持管理から複数の機場の管理を総括した統合的な維持管理が必要となっている。
【０００６】
しかしながら、統合的な維持管理を実現しようとした場合、複数の機場で使用しているシステムが違うため、多様なインターフェース開発が必要となる。また、遠隔地にある装置間の情報の取り合いにおいて、プラント側にある装置が冗長化されると遠隔管理装置は冗長化を処理する機能を追加する必要がある。この場合、遠隔管理装置は、プラント側にある装置を正常監視する必要があり、遠隔管理装置および回線の負荷が増加してしまう。また、プラント側にある装置から遠隔管理装置に情報を配信する場合、装置間の密結合接続が必要となり、それを仲介する例えばＤＨＣＰ等の装置及び回線占有が必要となり、システム全体のコスト、パフォーマンスに影響する。
【０００７】
そこで、本発明は上記問題点に鑑みなされたものであって、装置や回線の負荷を増加させることなく、機場の増加に対して容易に対応できるクラウドシステムおよびクラウドシステムの制御方法を提供することを目的とする。
【課題を解決するための手段】
【０００８】
上記課題を解決するために、本発明のクラウドシステムは、一のプラントの管理を行う第１及び第２フィールドサーバー装置からの当該プラントのフィールド情報を冗長化処理を実行しながら受益者装置へ提供する上り系処理を実行する情報処理装置を有するクラウドシステムであって、前記情報処理装置は、前記第１又は第２フィールドサーバー装置から前記プラントで発生したフィールド情報を、第１の電子メールを介して受信して蓄積する蓄積手段と、前記蓄積手段に蓄積された第１の電子メールに含まれるフィールド情報を所定の順序で処理して加工情報を生成する処理手段と、前記処理手段で生成した加工情報を所定の形式で記憶する記憶手段と、前記記憶手段に記憶された加工情報に基づいて前記フィールド情報を前記受益者装置へ提供する提供手段とを有して前記上り系処理を実行するものであり、前記情報処理装置は、通常運転時において前記受益者装置から送られてくる同一内容の操作指令を処理して前記プラントを制御する下り系処理を更に実行するものであり、前記下り系処理における前記蓄積手段が、前記受益者装置からの前記第１及び第２フィールドサーバー装置に対する指令を、同一内容の複数の第２の電子メールを介して受信して蓄積するとともに、同一内容の複数の第２の電子メールをそれぞれ前記第１及び第２フィールドサーバー装置へ配信し、前記下り系処理における前記処理手段が、前記蓄積手段に蓄積された同一内容の複数の第２の電子メールを処理して前記第１及び第２フィールドサーバー装置のいずれかに対する指令を抽出し、前記抽出された指令を対応する前記第１及び第２フィールドサーバー装置のいずれかが行うこととなるよう処理を実行し、前記下り系処理における前記第１及び第２フィールドサーバー装置が、前記受益者装置から送られてくる同一内容の指令の照合をそれぞれ行って前記第１及び第２フィールドサーバー装置による照合結果が許可された場合に、前記第１及び第２フィールドサーバー装置のいずれかによって前記指令を行うものであり、前記下り系処理における前記情報処理装置は、前記第１又は第２フィールドサーバー装置の可動状態に応じて、指令を行って前記プラントの制御を行うべき前記第１又は第２フィールドサーバー装置を選択的に切り替える。
【０００９】
本発明によれば、電子メールを使用することにより、情報処理エンジン装置は、フィールドサーバー装置の監視が不要となり、送られてきた電子メールを処理するのみで済む。これによって、インターフェースの統一化を図ることができ、機場の増加に対し容易になる。また、電子メールを使用するとフィールドサーバー装置から仮想化の情報処理エンジン装置は、メールサーバーを介して行うため、疎結合接続のため、接続のための装置が不要となり、回線も占有しないため、システム全体のコスト、パフォーマンスに影響ない。また電子メールを利用することによりその安全機能を利用することで、情報の安全性と確実性を確保することができる。本発明によれば、受益者装置からの指令は、電子メールを使用することにより情報処理装置は、特別なハードウエア及び専用ソフトウエアを使用せずに、日常業務端末を使用可能となる。本発明によれば、重要なプラント指令でのセキュリティが図られる。
【００１０】
上記発明において、前記処理手段は、前記蓄積手段に蓄積された第１の電子メールに含まれるフィールド情報を処理して検索用の検索インデックスを前記加工情報として生成し、前記提供手段は、前記生成した検索インデックスの中から前記受益者装置から受け付けた検索情報に対応する検索インデックスを決定し、前記決定した検索インデックスに対応するフィールド情報を、前記検索情報を受け付けた受益者装置へ提供するよう処理を実行する。本発明によれば、第１の電子メールで収集された情報から検索インデックスを生成することにより、受益者装置は検索キーを利用して依頼することにより、検索キーに該当する情報を提供される。これにより、従来固定的なソフトウエアを開発せず、必要な時に必要な情報を得られる環境となる。
【００１１】
上記発明において、前記第１及び第２フィールドサーバー装置は、そのフィールドサーバー装置が管理するプラントのフィールド情報をリアルタイムに取得しており、前記提供手段は、前記加工情報に含まれるフィールド情報に基づいて前記リアルタイムにフィールド情報を取得している前記第１及び第２フィールドサーバー装置の中から対応するフィールドサーバー装置を決定する。本発明によれば、受益者装置にリアルタイムのフィールド情報を提供することができる。
【００１２】
上記発明において、前記情報処理装置は、前記プラントに設けられた機器および／または部品の完成図書データを管理する完成図書サーバー装置をさらに有し、前記完成図書サーバー装置は、前記加工情報と前記完成図書データを比較し、前記完成図書データを変更する場合に前記受益者装置に確認する処理を実行する。本発明によれば、自動的にかつ有用な完成地図を更新することができる。
【００１５】
上記発明において、前記第１及び第２フィールドサーバー装置は、冗長化処理を実行し、通常運転時、前記第１フィールドサーバー装置が稼働し、前記第２フィールドサーバー装置が待機し、前記稼働している第１フィールドサーバー装置が故障時、前記第２フィールドサーバー装置が稼働する。本発明によれば、機場単位に設置する、フィールドサーバー装置間で冗長化の構成、構造が単純化され、性能・コスト改善される。
【００１６】
上記発明において、前記受益者装置は、前記検索情報として検索項目キーと検索成立条件を入力する画面を表示し、前記処理手段は、前記検索項目キーと前記検索成立条件との組み合わせに応じた検索結果を生成し、前記生成した検索結果を前記受益者装置へ提供する処理を実行する。
【００１７】
上記発明において、前記情報処理装置は、同一の内容の処理を実行可能なように複数備えられており、前記第１及び第２フィールドサーバー装置は、依頼先の装置の可動状態に応じて依頼する前記情報処理装置を選択的に切り替える。本発明によれば、フィールドサーバー装置から情報処理エンジン装置を経由して利用者までの情報の冗長化が計れ、高信頼性の情報サービスが提供可能となる。
【００１８】
上記発明において、前記フィールドサーバー装置は、入力されたフィールド情報を順番に蓄積する第１処理と、前記第１処理によって順番に蓄積したフィールド情報の特徴量を抽出し、前記抽出した特徴量に基づいて前記第１処理によって蓄積したフィールド情報を復元情報に置き換える第２処理とを実行する。本発明によれば、蓄積情報の最適化を持って過去のフィールド情報の再生を可能とすることができる。これにより、過去のプラント状態の復元は、復元要求レベルに応じて最適区分から使用して行う。よって、フィールド情報を長期的に管理可能となり、フィールド情報を使用する各種システムに安定した情報を提供することができる。
【００１９】
本発明のクラウドシステムの制御方法は、一のプラントの管理を行う第１及び第２フィールドサーバー装置からの当該プラントのフィールド情報を冗長化処理を実行しながら受益者装置へ提供する上り系処理を実行するクラウドシステムの制御方法であって、情報処理装置が前記プラントを管理する前記第１又は第２フィールドサーバー装置から前記プラントで発生したフィールド情報を、第１の電子メールを介して受信して蓄積手段に蓄積する蓄積ステップと、前記情報処理装置が前記蓄積ステップで蓄積された第１の電子メールに含まれるフィールド情報を所定の順序で処理手段をもって処理して加工情報を生成する処理ステップと、前記情報処理装置が前記処理ステップで生成した加工情報に基づいて前記フィールド情報を前記受益者装置へ提供する提供ステップとを有して前記上り系処理を実行するものであり、前記情報処理装置は、通常運転時において前記受益者装置から送られてくる同一内容の操作指令を処理して前記プラントを制御する下り系処理を更に実行するものであり、前記下り系処理における前記蓄積手段が、前記受益者装置からの前記第１及び第２フィールドサーバー装置に対する指令を、同一内容の複数の第２の電子メールを介して受信して蓄積するとともに、同一内容の複数の第２の電子メールをそれぞれ前記第１及び第２フィールドサーバー装置へ配信するステップと、前記下り系処理における前記処理手段が、前記蓄積手段に蓄積された同一内容の複数の第２の電子メールを処理して前記第１及び第２フィールドサーバー装置のいずれかに対する指令を抽出し、前記抽出された指令を対応する前記第１及び第２フィールドサーバー装置のいずれかが行うこととなるよう処理を実行するステップと、前記下り系処理における前記第１及び第２フィールドサーバー装置が、前記受益者装置から送られてくる同一内容の指令の照合をそれぞれ行って前記第１及び第２フィールドサーバー装置による照合結果が許可された場合に、前記第１及び第２フィールドサーバー装置のいずれかが前記指令を行うステップと、前記下り系処理における前記情報処理装置は、前記第１又は第２フィールドサーバー装置の可動状態に応じて、指令を処理して前記プラントの制御を行うべき前記第１及び第２フィールドサーバー装置を選択的に切り替えるステップとを有する。
【００２０】
上記発明において、前記処理ステップは、前記蓄積手段に蓄積された第１の電子メールに含まれるフィールド情報を処理して検索用の検索インデックスを前記加工情報として生成し、前記提供ステップは、前記生成した検索インデックスの中から前記受益者装置から受け付けた検索情報に対応する検索インデックスを決定し、前記決定した検索インデックスに対応するフィールド情報を、前記検索情報を受け付けた受益者装置へ提供するよう処理を実行する。
【００２１】
上記発明において、前記第１及び第２フィールドサーバー装置が前記プラントのフィールド情報をリアルタイムに取得するステップをさらに有し、前記提供ステップは、前記加工情報に含まれるフィールド情報に基づいて前記リアルタイムにフィールド情報を取得している前記第１及び第２フィールドサーバー装置の中から対応するフィールドサーバー装置を決定するステップをさらに有する。
【００２４】
上記発明において、通常運転時、前記第１フィールドサーバー装置が稼働し、前記第２フィールドサーバー装置が待機し、前記稼働している第１フィールドサーバー装置が故障時、前記第２フィールドサーバー装置が稼働するステップをさらに有する。
【００２５】
上記発明において、前記情報処理装置は、同一の内容の処理を実行可能なように複数備えられており、依頼先の装置の可動状態に応じて依頼する前記情報処理装置を選択的に切り替えるステップをさらに有する。
【００２６】
上記発明において、入力されたフィールド情報を順番に蓄積する第１処理ステップと、前記第１処理ステップによって順番に蓄積したフィールド情報の特徴量を抽出し、前記抽出した特徴量に基づいて前記第１処理によって蓄積したフィールド情報を復元情報に置き換える第２処理ステップとをさらに有する。
【発明の効果】
【００２７】
本発明によれば、装置や回線の負荷を増加させることなく、機場の増加に対して容易に対応できるクラウドシステムおよびクラウドシステムの制御方法を提供することができる。
【図面の簡単な説明】
【００２８】
【図１】本発明の実施形態に係るクラウドシステムの構成を説明するための図である。
【図２】本発明の実施形態に係るクラウドシステムの詳細構成を示す図である。
【図３】本発明の実施形態に係るクラウドシステムの上り系の処理フローチャートである。
【図４】情報提供サーバー内の記憶装置に格納されるテーブルを説明する図である。
【図５】本発明の実施形態に係るクラウドシステムの上り系の処理フローチャートである。
【図６】インデックスサーバー内の記憶装置に格納されるテーブルを説明する図である。
【図７】完成図書サーバー内の記憶装置に格納されるテーブルを説明する図である。
【図８】本発明の実施形態に係るクラウドシステムのインテリジェント検索の処理フローチャートである。
【図９】情報提供サーバーのインテリジェント検索処理について説明する図である。
【図１０】本発明の実施形態に係るクラウドシステムの下り系の処理フローチャートである。
【図１１】本発明の実施形態に係るクラウドシステムによる可用性の確保について説明するための図である。
【図１２】本発明の実施形態に係るフィールドサーバー装置の冗長化処理について説明するための図である。
【図１３】本発明の実施形態に係るフィールドサーバーの情報蓄積の最適化について説明するための図である。
【図１４】フィールドサーバーの情報蓄積の最適化について説明するための図である。
【発明を実施するための形態】
【００２９】
以下、添付図面を参照して、本発明を実施するための形態（以下、実施形態）について詳細に説明する。なお、実施形態の説明の全体を通して同じ要素には同じ番号を付している。
【００３０】
図１は、本発明の実施形態に係るクラウドシステム（クラウドコンピュータシステム）の構成を説明するための図である。クラウドシステム１００は、プラントの保守・維持管理業務を支援するシステムである。このクラウドシステム１００は、複数の遠方の機場の情報を統合管理し、利用者が要求する情報に加工し、複数の利用者へ提供する等の機能を有する。図１に示すように、このクラウドシステム１００は、機場１０Ａ〜１０Ｃ、情報処理エンジン装置２０、受益者装置３０Ａ〜３０Ｃを備えている。
【００３１】
機場１０Ａ〜１０Ｃにはそれぞれ、プラント１２Ａ〜１２Ｃ、フィールドサーバー装置１１Ａ〜１１Ｃが設けられている。情報処理エンジン装置２０は、プラントのフィールド情報を機場１０Ａ〜１０Ｃから電子メールを介して収集し、また収集したフィールド情報を自動的又は受益者装置３０の要求に応じて受益者装置３０Ａ〜３０Ｃへ電子メールを介して提供する。また、情報処理エンジン装置２０は、受益者装置３０Ａ〜３０Ｃからの指令に応じて指令を機場１０Ａ〜１０Ｃに送る機能を有する。電子メールを利用することで定常的な機能アップを電子メールを介して自動的に行うこともできる。受益者装置３０Ａ〜３０Ｃは、受益者によって使用されるものであって、情報提供を受ける機能と、プラントに対する指令を送る機能とを有する。
【００３２】
尚、フィールドサーバー装置１１、情報処理エンジン装置２０内のサーバー及び受益者装置３０は、例えば、ＣＰＵ（CentralProcessing Unit）、ＲＡＭ（Random Access Memory）、ＲＯＭ（Read-Only Memory）、ハードディスク等の記憶装置、ディスプレイ装置等を含んで構成されている。
【００３３】
次に、クラウドシステムの詳細構成について具体的に説明する。図２は、本発明の実施形態に係るクラウドシステムの詳細構成を示す図である。図２に示すように、機場１０Ａには、プラント１２Ａ、２つのフィールドサーバー装置が設けられており、これらはシリアルインターフェースのネットワークを介して接続されている。プラント１２Ａは、コンポーネント１２Ａ１と汎用機器１２Ａ２を有する。二つのフィールドサーバー装置１１Ａ１、１１Ａ２は同一内容の処理を実行できるように構成されている。同様に、機場１０Ｂには、プラント（マルチメディア）１２Ｂ２、二つのフィールドサーバー装置１１Ｂ１、１１Ｂ２が設けられ、Ethernet（登録商標）を介して接続されている。また機場１０Ｃには、プラント（汎用機器）１２Ｃ２、二つのフィールドサーバー装置１１Ｃ１、１１Ｃ２を介して接続されている。
【００３４】
情報処理エンジン装置２０は、メールサーバー２１、情報提供サーバー２２、インデックスサーバー２３、ＳＮＳ（SocialNetworking Service）サーバー２４、システム管理サーバー２５、完成図書サーバー２６を有し、これらはネットワークを介して接続されている。メールサーバー２１は、フィールドサーバー装置１１、受益者装置３０から送られてきた電子メールを受信して記憶するメール受信サーバー機能と、情報処理エンジン装置２０からフィールドサーバー装置１１、受益者装置３０へ電子メールを送信するメール送信サーバー機能とを有する。
【００３５】
情報提供サーバー２２は、機場１０Ａ〜１０Ｃで発生したフィールド情報やこのフィールド情報を加工した加工情報を受益者装置３０Ａ〜３０Ｃに提供するものである。この情報提供サーバー２２は、機場１０Ａ〜１０Ｃの情報を複数のファイルを一つのファイルにまとめたアーカイブによって蓄積する。関連するファイルをひとまとめにすることで、ネットワークを通じた送受信の手間を軽減したり、ディスクの管理を容易にしたりことができる。情報提供サーバー２２は、ファイルをまとめる際に圧縮を施すことにより情報量を少なくする。
【００３６】
インデックスサーバー２３は、フィールドサーバー装置１１Ａ〜１１Ｃから収集したフィールド情報から検索インデックスを生成し、生成した検索インデックスと検索インデックスを生成する際に使用したフィールド情報の実アドレス情報を関連付けて記憶する。この実アドレス情報は、フィールドサーバー装置（ステーション）１１Ａ〜１１Ｃを識別する識別情報とフィールド情報の相対位置情報とを含む。
【００３７】
ＳＮＳサーバー２４は、人と人とのつながりを促進・サポートするコミュニティ型のＷｅｂサイトを運営するサーバーである。このＳＮＳサーバー２４は、受益者装置３０Ａ〜３０Ｃを操作するユーザー同士のつながりを促進・サポートする。システム管理サーバー２５は、情報処理エンジン装置２０全体を管理する。完成図書サーバー２６は、プラントに設けられた機器および／または部品の完成図書データを管理し、完成図書データを自動的に更新する。
【００３８】
次に、クラウドシステムの配信処理について説明する。メールサーバー２１は、プラントを管理するフィールドサーバー装置１１から機場１０で発生したフィールド情報を電子メールを介して受信して電子メールを蓄積する。情報提供サーバー２２は、メールサーバー２１に蓄積された電子メールに含まれるフィールド情報を所定の順序で処理する。情報提供サーバー２２は、処理した加工情報をアーカイブ情報（所定の形式）で記憶する。情報提供サーバー２２は、処理したフィールド情報の加工情報を受益者装置３０Ａ〜３０Ｃへ送信する。
【００３９】
次に、クラウドシステムの検索インデックス処理について説明する。受益者装置３０から情報の問い合わせがあった場合、情報処理エンジン装置２０は、全フィールドサーバー装置１１Ａ〜１１Ｃに同報通知し、その回答の中に該当情報があった場合に、フィールドサーバー装置からのフィールド情報に基づいて検索インデックスを生成し、生成した検索インデックスを利用者が操作する受益者装置３０に情報提供する。
【００４０】
次に、クラウドシステムのコマンド指令処理について説明する。受益者装置３０Ａ〜３０Ｃはプラント１０Ａ〜１０Ｃのフィールドサーバー装置１１Ａ〜１１Ｃに対する指令を電子メールを介して情報処理エンジン装置２０へ送信する。メールサーバー２１は、フィールドサーバー装置１１Ａ〜１１Ｃに対する指令を電子メールを介して受信して電子メールを蓄積する。情報提供サーバー２２は、メールサーバー２１に蓄積された電子メールを処理してフィールサーバー装置に対する指令を抽出する。次に、情報提供サーバー２２は、抽出したフィールドサーバー装置に対する指令を対応するフィールドサーバー装置１１Ａ〜１１Ｃが行うよう処理を依頼する。対応するフィールドサーバー装置１１Ａ〜１１Ｃは、この指令に応じた処理結果を情報処理エンジン装置２０を介して指令を出した受益者装置３０へ回答する。
【００４１】
図３は、本発明の実施形態に係るクラウドシステムの上り系の処理フローチャートである。図３に示すように、フィールドサーバー装置１１Ａ１は、イベント発生機能部１５、処理機能部１６、蓄積機能部１７を有する。
【００４２】
イベント発生機能部１５は、定義指定を受けつけるものであって、例えば時間情報、時刻情報、プラント状態変更情報等を定義指定として受け付ける。イベント発生機能部１５によって受け付けた定義指定は処理機能部１６に入力される。処理機能部１６は、リアルタイム情報となるプラント状態情報を受け付ける。ここで、フィールド情報のうちプラントで発生したリアルタイムの情報をプラントの状態を示すことからプラント状態情報という。したがってフィールド情報には、プラント状態情報が含まれる。このプラント状態情報は例えばアナログデータＡＩ、デジタルデータＤＩ、パルスデータＰＩの形式となっている。蓄積機能部１７は、プラント状態情報を指定された時間で例えばアナログデータＡＩ、デジタルデータＤＩ、パルスデータＰＩの形式で蓄積する。蓄積機能部１７にはフィールド情報が順次蓄積される。処理機能部１６は、蓄積機能部１７に蓄積されたフィールド情報を電子メールによって暗号化して情報処理エンジン装置２０に送る。
【００４３】
メール受信サーバー２１Ａは、プラントを管理するフィールドサーバー装置１１Ａ１から機場１０Ａで発生したフィールド情報を電子メールを介して受信して電子メールを復号化して蓄積する。情報提供サーバー２２は、メールサーバー２１に蓄積された電子メールに含まれるフィールド情報を所定の順序で処理し、時刻情報、データの状態情報など必要な情報を抽出して加工情報（アーカイブ情報）を生成し内部の記憶装置に記憶する。この加工情報にはメニュー情報、実体情報等が含まれる。
【００４４】
図４は、情報提供サーバー内の記憶装置に格納されるテーブルを説明する図である。テーブル項目は、タイムスタンプ、値（実データ）、データ状態、項目名称、ベース値、フルスケール値、単位、データタイプ等から構成されている。タイムスタンプは、西暦、月、日、時間、分、秒等の情報を含む。値（実データ）は、リアルタイムのプロセス値等の情報を含む。データ状態は、使用可、使用不可、保守状態、異常状態値（実データ）等の正当性、妥当性を示すデータを含む。項目名称は、日本語の項目名称を含む。ベース値、フルスケール値は数値を含む。単位は、例えば％、Ｍｐａ、ｍ3／ｈ等を含む。データタイプは、Ｂｏｏｌ、ＲＥＡＬ、ｉｎｔ等の形式を持つ。ここで、タイムスタンプ、値（実データ）は変動するダイナミック情報であり、他の項目の値は、固定情報となる。
【００４５】
情報提供サーバー２２は、記憶装置に記憶されたプラント情報の加工情報に基づいてプラント情報を電子メールを介して受益者装置３０Ａへ送信する。受益者装置３０Ａは、情報処理エンジン装置２０から送信されたプラント情報に基づいて表示領域に実体データとメニュー画面を表示する。受益者装置３０Ａは、ユーザーによってメニュー画面の中から項目が選択されると、選択された項目に対応するプラント情報の実体データを表示する。これによって利用者はプラント情報を見ることができる。
【００４６】
図５は、本発明の実施形態に係るクラウドシステムの他の上り系の処理フローチャートである。フィールドサーバー装置１１Ａ１の処理機能部１６には、図中左下に示すようにプラントのフィールド情報が入力される。処理機能部１６は、入力されたフィールド情報とプラント定義指定が一致した場合に、フィールド情報を暗号化して電子メールを介して情報処理エンジン装置２０に送信する。メール受信サーバー２１Ａは、フィールドサーバー装置１１Ａ１から送信された電子メールを復号化して蓄積する。
【００４７】
情報提供サーバー２２は、所定のタイミングで必要な情報を抽出して内部の蓄積手段へ蓄積する。インデックスサーバー２３は、情報提供サーバー２２の内部の蓄積手段に蓄積されたフィールド情報を処理して検索用の検索インデックス（検索キー）を生成する。この検索インデックスは上記加工情報となる。この検索インデックスは、検索インデックスを生成する際に処理したフィールド情報を発生したフィールドサーバー装置の識別情報（ステーション）とフィールド情報の相対位置からなる実アドレスと関連付けられて、インデックスサーバー２３内に記憶される。
【００４８】
図６はインデックスサーバー内の記憶装置に格納されるテーブルを説明する図である。図６に示すように、テーブル項目は、タイムスタンプ、検索インデックスとなる項目名称、実アドレス、タイトル、情報の大きさ、ランキング等を含む。ライムスタンプは、検索キー（項目）が自動生成された、西暦、月、日、時間、分、秒等の情報を含む。項目名称は、検索語を含み、この検索語は例えば日本語名称からなる。実アドレスは、ステーション＋相対位置情報を含む。タイトルは、検索語の補足説明の内容となり、設備名称またはステーション名称等を含む。情報の大きさは、データ形式を示す。ランキングは、数値からなり、情報の使用頻度、後日情報の重要度から他のシステム（イベントレコーダ、インタロック）の自動収集対象として使用する。
【００４９】
次に、検索インデックスを用いた処理について説明すると、受益者装置３０Ａは、受益者からユーザーインターフェースを介して検索キー入力と要求を受け付けて、情報処理エンジン装置２０へ電子メールを介して問い合わせ情報を送る。インデックスサーバー２３は、受益者装置３０Ａから検索情報を受け付ける。次に、インデックスサーバー２３は、生成した検索インデックスの中から受け付けた検索情報に対応する検索インデックスを決定する。インデックスサーバー２３は、決定した検索インデックスに対応する実アドレスを利用して、検索インデックスに対応するプラント状態情報を、問い合わせを受けた受益者装置３０へ送信するようフィールドサーバー装置１１Ａ１へ処理を依頼する。
【００５０】
図中右下に示すように、フィールドサーバー装置１１Ａ１の処理機能部１６には、フィールドサーバー装置１１Ａ１が管理するプラントのプラント状態情報がリアルタイムに入力されている。フィールドサーバー装置１１Ａ１は、プラント状態情報を指定を受けた受益者装置３０Ａに電子メールを介して送信する。受益者装置３０Ａは、電子メールを介して送られてきたプラント状態情報を検索結果として所定のディスプレイ装置に表示する。これによってユーザーはリアルタイムのフィールド情報を見ることができる。
【００５１】
次に、図５を利用して完成図書処理について説明する。図７は、完成図書サーバー内の記憶装置に格納されるテーブルを説明する図である。図７に示すように、テーブル項目は、タイムスタンプ、設備名称、信号名称、ベース値、フルスケール値、単位、使用先等を含む。タイムスタンプは、西暦、月、日、時間、分、秒等を含む。設備名称は、検索インデックスに対応するものであって、設備区分、ステーション等の日本語による名称等を含む。信号名称は、日本語の名称からなる。ベース値は、数値を含む。フルスケール値は、数値を含む。単位は、例えば％、Ｍｐａ、ｍ3／ｈ等を含む。使用先は、信号（情報）の使用する用途の内容となる。
【００５２】
完成図書サーバー２６は、インデックスサーバー２３の検索インデックス（検索キー）を周期的にチェックし、新たに生成された検索インデックスと完成図書データの設備名称を比較し、新たに生成された検索インデックスが完成図書データに登録されていない場合には、未登録の新しい検索インデックスを完成図書データとして登録するかどうかの問い合わせデータを受益者装置３０Ａへ送信して確認する処理を行う。受益者装置３０Ａは、表示された画面を見ながら未登録の新しい検索インデックスを完成図書データに登録するかどうかの指示を入力する。受益者装置３０Ａは、ユーザーの入力指示に応じて、未登録の新しい検索インデックスの完成図書データへの登録の可否データを完成図書サーバー２６へ送信する。
【００５３】
完成図書サーバー２６は、未登録の新しい検索インデックスを完成図書データに登録する指示を受益者装置３０Ａから受け付けた場合には、新たに生成された検索インデックス情報を完成図書データに登録する。一方、完成図書サーバー２６は、未登録の新しい検索インデックスを完成図書データに登録しない旨の指示を受益者装置３０Ａから受け付けた場合には、新たに生成された検索インデックスは登録しないように処理を行う。
【００５４】
次に、情報提供サーバー２２の相関検索処理について説明する。図８は、本発明の実施形態に係るクラウドシステムのインテリジェント検索の処理フローチャートである。図８において処理１系はフィールド情報のうち現在のリアルタイム情報を対象としている場合の系、処理２系はフィールド情報のうち過去のヒストリカルな情報を対象としている場合の系である。受益者装置３０Ａは、フィールド情報を取得する際に検索項目キーと検索成立条件を検索情報として入力する画面を表示する。ここでは、検索項目キーとして１項目、２項目、Ｎ項目という形式で複数の検索キーを入力できる。また、検索成立条件として、判定条件キーと処理キーとを入力できる。判定条件キーは、検索項目キーとして指定した検索項目の関係性を判定するために入力するものである。例えば検索項目キーとして複数の項目間の関係や、それぞれの項目の関係を例えば大小関係等を用いて入力できる。処理キーは、検索項目キーと判定条件キーを処理する期間や時期を条件として入力するものである。
【００５５】
インデックスサーバー２３の記憶装置内には、フィールド情報に対する項目名と実アドレスが記憶されている。図８の例では、項目Ａには実アドレスＡが、項目Ｂには実アドレスＢが、項目Ｃには実アドレスＣがそれぞれ対応付けられて記憶されている。情報提供サーバー２２は、検索項目キーと検索成立条件との組み合わせに応じた検索結果を生成し、生成した検索結果を受益者装置３０へ提供する処理を実行する。
【００５６】
図８に示す例では、情報提供サーバー２２は、フィールド情報の項目Ａ、項目Ｂ等がリアルタイム情報の処理１系の場合は現時点から指定時間（例えば２４時間後）を検索対象とする。一方、情報提供サーバー２２は、フィールド情報の項目Ａ、項目Ｂ等がヒストリカル情報の処理２系の場合は現時点から指定時間（例えば２４時間前）を検索対象とする。情報提供サーバー２２はインテリジェント処理結果を内部の記憶装置に格納する。情報提供サーバー２２は、指定時間の経過後に検索結果を受益者装置３０Ａへ電子メールを介して送信する。受益者装置３０Ａは、電子メールアドレスを介して受信した検索結果をディスプレイ装置に表示する。
【００５７】
図９は、情報提供サーバー２２のインテリジェント検索処理について具体的に説明する。ここでは、受益者が受益者装置３０Ａにて、検索キー入力として検索項目キー、判定条件キー及び処理キーを利用した場合の例について説明する。
【００５８】
ここでは、受益者装置３０Ａのユーザーインターフェースを利用してユーザーは、フィールド情報の検索項目キーとして「プラント状態情報Ａ〜Ｇ」を入力している。また、判定条件キーとして、処理１系（ケース１）の場合、「プラント状態情報Ａ＋プラント状態情報Ｂ＞プラント状態情報Ｃ」を入力し、処理２系（ケース２）の場合、「プラント状態情報＜６５」を入力している。さらに、処理キーとして、処理１系（ケース１）の場合に「２４時間」、処理２（ケース２）の場合に「１０月３日まで」と入力している。情報処理エンジン装置２０の情報提供サーバー２２は、受益者装置３０Ａからの検索キーの入力を受け付けて、フィールド情報の中から検索項目キーの検索結果Ｘ１、判定検索キーの検索結果Ｘ２、処理キーの検索結果Ｘ３のアンド条件を最終的な検索結果とし、最終結果を依頼先の受益者装置３０Ａに送る。受益者装置３０Ａは、情報提供サーバー２２からの検索結果を表示する。これにより、ユーザーは相関検索を利用したインテリジェントな検索結果を得ることができる。
【００５９】
図１０は、本発明の実施形態に係るクラウドシステムの下り系の処理フローチャートである。図１０の下段に示すように、フィールドサーバー装置１１Ａは、情報処理エンジン装置２０から送られてくる同一内容のコマンド指令を処理する２つのサーバー装置１１Ａ１、１１Ａ２によって構成されている。
【００６０】
受益者装置３０Ａは、ユーザーインターフェースを介してメール送信による操作指令を受益者から受け付ける。例えば、受益者は、ステーション＋相対位置、検索キー、コマンド、所定の値等を操作指令として受益者装置３０Ａに入力する。次に、受益者装置３０Ａは、同一内容の２つの電子メールによって操作指令を情報処理エンジン装置２０へ送る。例えば、受益者装置３０Ａは、メールソフトの送信アドレスを入力する箇所（ＴＯ）と、同一内容のメールを送る送信アドレスを入力する箇所（ＣＣ）とを利用して２つの電子メールによって同一の操作指令を情報処理エンジン装置２０に送る。
【００６１】
情報処理エンジン装置２０のメール受信サーバー２１Ａは、二つの電子メールを受信することによって同一の操作指令を二つ受け付ける。次に、メール送信サーバー２１Ｂは、同一内容の電子メールをフィールドサーバー装置１１Ａ１とフィールドサーバー装置１１Ａ２にそれぞれ配信する。
【００６２】
２つのフィールドサーバー装置１１Ａ１、１１Ａ２は、情報処理エンジン装置２０から送られてくる同一内容のコマンド指令の照合を行って両方のサーバー装置１１Ａ１、１１Ａ２による照合結果が許可された場合に、２つのサーバー装置１１Ａ１、１１Ａ２のうち一のサーバー装置によってコマンド指令を処理してプラント１２Ａを制御する。また、フィールドサーバー装置１１Ａ１、１１Ａ２は、プラント１２Ａからプラントアンサーを受け付ける。この例では、フィールドサーバー装置１１Ａ２がプラント１２Ａからのプラントアンサーを蓄積している。
【００６３】
受益者装置３０Ａは、メール送信の情報（ステーション＋相対位置・検索キー）を使用して、上述したインデックスサーバー２３に検索依頼を行って、送信結果（プラントアンサー）を確認するために必要となるプラントアンサーの実体アドレス（ステーション＋相対位置＋Ｎ）を求める。インデックスサーバー２３は、検索キーからＮを抽出して受益者装置３０Ａに回答データを送信する。受益者装置３０Ａは、求めたプラントアンサーの実体アドレスに基づいてフィールドサーバー装置１１Ａ２から送られてきたプラントアンサーを受信して、検索結果を表示する。また、受益者装置３０Ａは、インデックスサーバー２３への依頼タイミングをメール送信後ただちに行うのではなく、プラント１２Ａの応答時間を加味するためにメール送信後からある時間を待って、検索結果の表示を実行する。これにより、操作が確実に行われたか、失敗に終わったかを判断することが可能となる。受益者装置３０Ａは、メール送信から上記の手順で検索結果の表示確認を自動的に行う自動検索起動と失敗かの再確認時に使用する手動検索起動を選択することができる。
【００６４】
図１１は、一貫した統一された可用性の確保について説明するための図である。図１１に示すクラウドシステムでは、一つの機場１０Ａに対して複数の情報処理エンジン装置２０Ａ〜２０Ｃが設けられている。情報処理エンジン装置２０Ａ〜２０Ｃは図２に示した構成のものと同様とする。また、上述と同様に、フィールドサーバー装置１１Ａは、同一の内容の処理を実行可能な複数のフィールドサーバー１１Ａ１、１１Ａ２によって構成されている。
【００６５】
情報処理エンジン装置２０Ａ〜２０Ｃは、依頼先の装置の可動状態に応じて依頼するフィールドサーバー装置１１Ａ１、１１Ａ２を選択的に切り替えて処理を実行する。また、フィールドサーバー装置１１Ａ１、１１Ａ２は、情報処理エンジン装置２０Ａ〜２０Ｃの可動状態に応じて依頼する情報処理エンジン装置２０Ａ〜２０Ｃを選択的に切り替えて処理を実行する。これにより、
【００６６】
次に、フィールドサーバー装置の冗長化処理について説明する。図１２は、フィールドサーバー装置の冗長化処理について説明するための図である。フィールドサーバー装置１１は、冗長化処理を実行する少なくとも２つのフィールドサーバー装置１１Ａ１、１１Ａ２を含んで構成されている。
【００６７】
通常運転時、第１フィールドサーバー装置１１Ａ１が稼働し、第２フィールドサーバー装置１１Ａ２が待機している。可動している第１フィールドサーバー装置１１Ａ１に異常が発生している場合は、第１フィールドサーバー装置１１Ａ１に代わって第２フィールドサーバー装置１１Ａ２が稼働する。フィールドサーバー装置１１Ａの異常対象としては、フィールドサーバー装置１１Ａのハードウエア、ファームウエア、プラットフォーム、アプリケーション等がある。
【００６８】
フィールドサーバー装置１１Ａは、故障警告を電子メールを介して受益者装置３０へ送る。第１フィールドサーバー装置１１Ａ１が故障してしまった場合、第１フィールドサーバー装置１１Ａ１に代わって第２フィールドサーバー装置１１Ａ２が処理を実行する。第１フィールドサーバー装置１１Ａ１が故障して自動復帰が不可能な場合には人が故障を修理して復帰させる。
【００６９】
次に、フィールドサーバー装置の情報蓄積の最適化処理について説明する。図１３及び図１４は、フィールドサーバー装置の情報蓄積の最適化について説明するための図である。フィールドサーバー装置１１は現場に設置するため環境的な制限から、フィールドでの情報蓄積量は有限である。フィールド蓄積情報はリモートへのアーカイブを前提としているが、アーカイブ段階で各種のトラブル（通信不能、リモートサーバ不具合）にて、フィールドの蓄積情報が喪失する危険が生じる。このリスクを最小限に防止する方式として、情報蓄積の最適化を行う。
【００７０】
図１３に示すように、従来の情報蓄積は蓄積空間（ストレージ空間）の制限を越えた場合、蓄積情報の一番古い情報を破棄し、最新情報ｙ１を取り込む方式が一般的である。最新情報ｙ１を蓄積する場合は、１番目から順次情報蓄積の移動を行う。この結果、蓄積空間では最新情報ｙ１を取り込むタイミング（時間、時刻、プラント状態変化等）で蓄積空間の最下位の一番古い蓄積情報は抹消される。しかし、一度喪失した過去のプラント情報を再生することは不可能となる。   
【００７１】
そこで、図１４に示すように、最新情報ｙ１を取り込む段階で、一番古い情報を単純に喪失するのでなく、蓄積情報の最適化を持って過去のプラント情報の再生を可能とする。過去のプラント状態の復元は、復元要求レベルに応じて、最適化区間Ａから最適化区間Ｃを使用して行う。これにより、フィールド情報を長期的に管理可能となり、フィールド情報を使用する各種システムに安定した情報を提供する。
【００７２】
図１４に示す例では、フィールドサーバー装置１１は、一般区間では、入力されたフィールド情報を１分毎の蓄積情報として順番に蓄積する第１処理を実行する。次に、フィールドサーバー装置１１は、最適化区間Ａの情報蓄積に対しては、第１処理によって順番に蓄積した１分毎の蓄積情報から任意の蓄積情報に変化させるために１分毎の蓄積情報から特徴量を抽出する。次に、フィールドサーバー装置１１は、抽出した特徴量に基づいて第１処理によって蓄積したフィールド情報を復元情報に置き換える第２処理を実行する。
例えば、最適化区間Ａでは、１時間平均、最大、最小等を特徴量データとして蓄積する。
【００７３】
フィールドサーバー装置１１は、最適化区間Ｂの情報蓄積に対しては、１時間の蓄積情報から最適化区間Ａの情報の特徴量を抽出する。例えば、最適化区間Ｂでは８時間平均、最大、最小等を特徴量データとして蓄積する。フィールドサーバー装置１１は、最適化区間Ｃの情報蓄積に対しては、８時間の蓄積情報から最適化区間Ｂの情報の特徴量を抽出する。例えば、２４時間平均、最大、最小等を特徴量データとして蓄積する。フィールドサーバー装置１１は、最適化区間Ａ〜Ｃで蓄積した特徴量データを使用して過去のプラント情報を再生することができる。この構成によって同じ蓄積空間でより多くの情報を蓄積することができる。
【００７４】
本実施形態のクラウドシステムによれば、フィールドサーバー装置１１から電子メールによる配信のためフィールドサーバー装置１１の故障の場合でも復帰後に自動再送され、情報欠落が防げる。また電子メールは国際標準化された形式で、オープン化されており、容易に構築ができる。さらに、電子メールは双方の認証機能を有し、更に情報の暗号化が行われているので、汎用の低速デジタル回線が使用可能となる。従来のシステムより、単純、汎用的なハードウエアの使用が可能となる。プラント維持管理システムのための長期維持が汎用を使用することにより容易に可能となる。汎用技術の進化に容易に追従でき、常に最新技術が使用可能となる。
【００７５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００７６】
尚、本発明のクラウドシステムの制御方法の各ステップは、クラウドシステム１００により実行される。情報処理装置は情報処理エンジン装置２０に対応する。また、蓄積手段メールサーバー、処理手段、記憶手段、提供手段は情報処理エンジン装置２０の各サーバーの機能によって実現される。
【符号の説明】
【００７７】
１００  クラウドシステム
１０Ａ〜１０Ｃ  機場
１１Ａ〜１１Ｃ  フィールドサーバー装置
１２Ａ〜１２Ｃ  プラント
２０  情報処理エンジン装置
２１  メールサーバー
２２  情報提供サーバー
２３  インデックスサーバー
２４  ＳＮＳサーバー
２５  システム管理サーバー
２６  完成図書サーバー
３０Ａ〜３０Ｃ  受益者装置 
【図１】
0005578647.tif 000002
【図２】
0005578647.tif 000003
【図３】
0005578647.tif 000004
【図４】
0005578647.tif 000005
【図５】
0005578647.tif 000006
【図６】
0005578647.tif 000007
【図７】
0005578647.tif 000008
【図８】
0005578647.tif 000009
【図９】
0005578647.tif 000010
【図１０】
0005578647.tif 000011
【図１１】
0005578647.tif 000012
【図１２】
0005578647.tif 000013
【図１３】
0005578647.tif 000014
【図１４】
0005578647.tif 000015